(57)【特許請求の範囲】
【請求項１】
電力系統に接続されて電力系統の電圧変動を抑制する無効電力補償装置によって負荷の
無効電力を補償するに当たり、
前記電力系統の電圧より９０°遅れた電圧と負荷電流との積によって演算される無効電力瞬時値に、負荷電流を一定期間平均した微分値と系統電圧との積を加算して無効電力値を演算し、この演算値により負荷の無効電力を補償することを特徴とする無効電力補償装置の制御方式。
【請求項２】
前記負荷電流を一定期間平均した微分値は、ｎ（２以上の自然数）サンプリング前まで負荷電流を微分したものが、１サンプリング前の負荷電流を微分したものと同一位相，同一振幅となるように移相し、振幅をそろえて演算することを特徴とする請求項1に記載の無効電力補償装置の制御方式。
【発明の詳細な説明】
【技術分野】
【０００１】
この発明は、半導体装置を用いて電力系統に連系し、電力系統の電圧変動を抑制する無効電力補償装置の制御方式に関する。
【背景技術】
【０００２】
図２に、無効電力補償装置の一般的な例を示す。
すなわち、図２の無効電力補償装置１は、電力系統２から系統インピーダンス３を介して負荷４が接続された系統の、上記系統インピーダンス3と負荷４との間に設置され、負荷４によって発生する無効電力を補償する。
【０００３】
無効電力補償装置１はサイリスタ５、リアクトル６、コンデンサ７、制御装置１３などから構成される。その動作としては、電圧フリッカを補償するために、負荷４が発生する無効電力を補償する。負荷４が発生する無効電力をＱｆ、無効電力補償装置１の無効電力をＱｔ、系統の無効電力をＱｓとすると、Ｑｔ＝Ｑｆとなるように、無効電力補償装置１を制御することで系統の無効電力をＱｓ＝０とし、その結果、系統電圧の電圧変動を抑制でき、電圧フリッカを抑制することができる。
【０００４】
制御装置１３の具体例を図３に示す。ここでは、ＰＴやＣＴにより系統電圧，９０°位相遅れの系統電圧や負荷電流ｉｆを検出し、無効電力検出器１０により無効電力Ｑを演算する。検出した無効電力Ｑにゲイン要素１１からのゲインを乗算した結果を、点弧角制御回路１２に入力し、この点弧角制御回路１２でサイリスタを点弧するための点弧角指令αを演算するものである。
【０００５】
図４に、例えば特許文献１に開示された無効電力検出器１０の具体例を示す。
同図では、以下のように無効電力Ｑを演算する。
（イ）系統電圧ｖ１と、系統電圧ｖ1に対し９０°遅れた電圧ｖ２と負荷電流ｉｆを検出し、図５に示すオールパスフィルタ２１で負荷電流ｉｆを９０°進めた電流ｉｆ’を演算する。ここに、ｖ1，ｖ２およびｉｆは次式のように示される。
【０００６】
ｖ1＝√２Ｅｓｉｎωｔ  −（１）
ｖ２＝−√２Ｅｃｏｓωｔ  −（２）
ｉｆ＝√２Ｉｓｉｎ（ωｔ−φ）  −（３）
【０００７】
（ロ）ｖ２とｉｆを乗算することで、無効電力瞬時値qを演算する。
q＝ｖ２×ｉｆ＝E・I｛ｓｉｎφ−ｓｉｎ（２ωｔ−φ）｝  −（４）
（ハ）ｖ１とｉｆを９０°進めた電流ｉｆ’ を乗算することで、仮想無効電力瞬時値q’を演算する。
q’＝ｖ１×ｉｆ’＝E・I｛ｓｉｎφ+ｓｉｎ（２ωｔ−φ）｝  −（５）
【０００８】
（ニ）無効電力瞬時値qと仮想無効電力瞬時値q’を加算する。
q＋q’＝２E・I・ｓｉｎφ  −（６）
（ホ）上記（６）式に1/２を乗じることで、無効電力Qを演算する。
Q＝（q＋q’）/2= E・I・ｓｉｎφ  −（7）
【０００９】
【特許文献１】特開平０８−１４０２６８号公報
【発明の開示】
【発明が解決しようとする課題】
【００１０】
特許文献１のようにすると、無効電力Qを演算するためには、系統電圧に対して９０°位相遅れの電圧を検出する変圧器（PT）や、オールパスフィルタが必要になる。特に、オールパスフィルタは図５のようにオペアンプ等を用いて作るので、９０°位相を進めるための調整が必要になる。このため、回路が複雑かつ規模が大きくなり、フィルタの調整に時間が必要になるなど、コストアップの要因になる。また、オールパスフィルタは瞬時,
瞬時の値を移相するため、急峻な負荷電流の変化によっては、演算誤差が大きくなる可能性がある。
【００１１】
したがって、この発明の課題は、回路を複雑かつ大規模化することなく、演算誤差も小さな無効電力の演算方式を提供することにある。
【課題を解決するための手段】
【００１２】
このような課題を解決するため、請求項１の発明では、電力系統に接続されて電力系統の電圧変動を抑制する無効電力補償装置によって負荷の無効電力を補償するに当たり、
前記電力系統の電圧より９０°遅れた電圧と負荷電流との積によって演算される無効電力瞬時値に、負荷電流を一定期間平均した微分値と系統電圧との積を加算して無効電力値を演算し、この演算値により負荷の無効電力を補償することを特徴とする。
この請求項１の発明においては、前記負荷電流を一定期間平均した微分値は、ｎ（２以上の自然数）サンプリング前まで負荷電流を微分したものが、１サンプリング前の負荷電流を微分したものと同一位相，同一振幅となるように移相し、振幅をそろえて演算することができる（請求項２の発明）。
【発明の効果】
【００１３】
従来のように、負荷電流を９０°進めた電流を系統電圧に乗算して求めた仮想無効電力瞬時値と、無効電力瞬時値とを加算して無効電力を求めるようにすると、オールパスフィルタ等が必要となって演算誤差も大きくなるので、この発明によれば、上記仮想無効電力瞬時値を、負荷電流を一定期間平均した微分値と系統電圧との積から求められるようにすることで、演算誤差を抑制できるようになる。
【発明を実施するための最良の形態】
【００１４】
図１はこの発明の実施の形態を示すブロック図である。
これは、図４に示す無効電力演算検出器１０に、移相器１９、n（２以上の自然数）個平均微分器２２、ゲイン（要素）２３,２４、設定器２５、減算器２６、除算器２７などを付加したものである。その演算方式は、無効電力瞬時値qを演算するところまでは図４と同じなので、以下は相違について主として説明する。
【００１５】
まず、ifをωで除算して微分すると、数１で示す（８）式となる。
【数１】
0004840290.tif 000002
【００１６】
また、ifをωで除算し、n個平均微分演算器２２で微分演算すると、数２で示す（９）式となる。同式のNsは１周期あたりのサンプル数（サンプル数/周期）を示す。
【数２】
0004840290.tif 000003
【００１７】
（９）式は、数３の（１０）式のように表わすことができる。
【数３】
0004840290.tif 000004
【００１８】
上記（１０）式の中括弧（｛｝）内を合成すると、数４で示す（１１）式のように変形できる。
【数４】
0004840290.tif 000005
【００１９】
（１１）式から、次の数５で示す（１２）式のように、ｒとｃｏｓαが求められる。
【数５】
0004840290.tif 000006
【００２０】
先の数４の（１１）式は、数１の（８）式と比べて、振幅比と位相差αについて、数６の（１３）式のような違いがある。
【数６】
0004840290.tif 000007
【００２１】
また、位相差αを移相するためには、数７の（１４）式のようにすれば良い。
【数７】
0004840290.tif 000008
【００２２】
（１１）式の関係から、数８の（１５）式が得られる。
【数８】
0004840290.tif 000009
【００２３】
（１５）式と上記（１４）式から、数９の（１６）が得られる。
【数９】
0004840290.tif 000010
【００２４】
すなわち、図１の乗算器１６における一方の入力（ｉｆ’相当）を求める演算が、上記（１６）式で示されることになる。この演算には、ｎ個平均微分器２２、ゲイン（要素）２３，２４、設定器２５、減算器２６および除算器２７が用いられることから、ゲイン２３には上記（１３）式の振幅比が、ゲイン２４にはｓｉｎαが、また、設定器２５には（１３）式のｃｏｓαが、それぞれ設定されることになる。
【００２５】
乗算器１６からは、上記（５）式と同様の演算によりq’（ 仮想無効電力瞬時値）が求められ、加算器１７で無効電力瞬時値qと仮想無効電力瞬時値q’とを加算して２E・I・ｓｉｎφなる量が得られるので、これに1/２を乗じることで、無効電力Q（＝E・I・ｓｉｎφ）が演算されるのは、従来の場合と同様である。
因みに、Ns＝１９２、ｎ＝１６とすると、２３のゲインは“１．０１１５”、２４のゲインは“０．２５８８”、２５の設定値は“０．９６５９”となる。
【００２６】
以上のように、従来は系統電圧に対して９０°位相遅れの電圧を検出するＰＴや、オールパスフィルタが必要になり、回路規模が複雑で大規模になっていたが、この発明によれば、ＰＴやオールパスフィルタの代わりにNs個分のデータを保持できるメモリを用意することで、無効電力の演算が可能になることから、回路が小型化されコストダウンが可能となる。負荷電流を一定期間平均した微分を行なうことで、急激な負荷電流の変化に対しても演算誤差を抑制することができる。
【図面の簡単な説明】
【００２７】
【図１】この発明の実施の形態を示すブロック図
【図２】従来例を示すシステム構成図
【図３】図２の制御装置の構成を示すブロック図
【図４】図３の無効電力検出器の具体例を示すブロック図
【図５】図４のオールパスフィルタの具体例を示す回路図
【符号の説明】
【００２８】
１０…無効電力検出器、１５，１６…乗算器、１７…加算器、１８，２３，２４…ゲイン（要素）、１９…移相器、２５…設定器、２６…減算器、２７…除算器。
【図１】
0004840290.tif 000011
【図２】
0004840290.tif 000012
【図３】
0004840290.tif 000013
【図４】
0004840290.tif 000014
【図５】
0004840290.tif 000015